【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
給送されるべき複数のシートが積載される給送トレイと、
前記給送トレイに積載される複数のシートを１枚ずつ分離するための分離ローラと、
シートの搬送方向で前記分離ローラの下流に配置され、前記分離ローラにより分離されたシートを搬送するための第１搬送ローラと、
前記分離ローラと前記第１搬送ローラを駆動する第１モータと、
前記第１モータとは別の第２モータで駆動されるとともに、前記第１搬送ローラの下流に配置され、前記第１搬送ローラにより搬送されたシートをさらに搬送する第２搬送ローラと、
前記分離ローラを停止させた状態で前記第１搬送ローラと前記第２搬送ローラとによりシートを搬送中に、該シートの後端が前記分離ローラを抜けると、前記第１搬送ローラの搬送速度を前記第２搬送ローラの搬送速度よりも大きくなるように増速させ、該シートの後端が前記第１搬送ローラを抜けると、前記第１搬送ローラを停止した状態で前記分離ローラを駆動するよう前記第１モータを制御する制御手段と、
を有することを特徴とするシート給送装置。
【請求項２】
前記分離ローラと前記第１搬送ローラとの間に配置され、シートを検知するセンサを有し、前記制御手段は、前記センサがシートの後端を検知すると前記第１搬送ローラの搬送速度を増速させることを特徴とする請求項１記載のシート給送装置。
【請求項３】
前記第１搬送ローラと前記第２搬送ローラとの間の搬送路は、前記第１搬送ローラの搬送速度を増速させることによりシートに生じる撓みが収まるための空間を有することを特徴とする請求項１または２に記載のシート給送装置。
【請求項４】
シートの坪量を取得する取得手段を有し、
前記制御手段は、シートの坪量が所定値以上であれば前記第１搬送ローラの搬送速度の増速を実行することなく、前記第１搬送ローラをシートが抜けるまで搬送するよう前記モータを制御することを特徴とする請求項１乃至３の何れか１項に記載のシート給送装置。
【請求項５】
前記制御手段は、前記第１モータを第１の方向に回転させることにより前記第１搬送ローラを停止させた状態で前記分離ローラを回転させ、前記第１モータを前記第１の方向とは反対の第２の方向へ回転させることにより前記分離ローラを停止させた状態で前記第１搬送ローラを回転させることを特徴とする請求項１乃至４の何れか１項に記載のシート給送装置。
【請求項６】
前記取得手段は、シートの坪量を手動設定するための設定手段を有することを特徴する請求項４記載のシート給送装置。
【請求項７】
請求項１乃至６の何れかに記載のシート給送装置を有し、前記給送装置で原稿を給送することを特徴とする原稿給送装置。
【請求項８】
請求項７記載の原稿給送装置を有し、前記原稿給送により搬送される原稿の画像を読み取る読取手段を有することを特徴とする原稿読取装置。
【手続補正２】
【補正対象書類名】明細書
【補正対象項目名】０００７
【補正方法】変更
【補正の内容】
【０００７】
上記の課題を解決するために、本発明のシート給送装置は、給送されるべき複数のシートが積載される給送トレイと、前記給送トレイに積載される複数のシートを１枚ずつ分離するための分離ローラと、シートの搬送方向で前記分離ローラの下流に配置され、前記分離ローラにより分離されたシートを搬送するための第１搬送ローラと、前記分離ローラと前記第１搬送ローラを駆動する第１モータと、前記第１モータとは別の第２モータで駆動されるとともに、前記第１搬送ローラの下流に配置され、前記第１搬送ローラにより搬送されたシートをさらに搬送する第２搬送ローラと、前記分離ローラを停止させた状態で前記第１搬送ローラと前記第２搬送ローラとによりシートを搬送中に、該シートの後端が前記分離ローラを抜けると、前記第１搬送ローラの搬送速度を前記第２搬送ローラの搬送速度よりも大きくなるように増速させ、該シートの後端が前記第１搬送ローラを抜けると、前記第１搬送ローラを停止した状態で前記分離ローラを駆動するよう前記第１モータを制御する制御手段と、を有することを特徴とする。
【手続補正３】
【補正対象書類名】明細書
【補正対象項目名】０００８
【補正方法】変更
【補正の内容】
【０００８】
積載されたシートの分離する分離ローラと分離ローラにより分離されたシートを搬送する第１搬送ローラとを共通のモータで駆動する構成でも、シート後端が第１搬送ローラを抜けるまでの時間を短縮することが可能になり、次シートの分離開始タイミングを前倒しできる。そのため、生産性の低下を軽減する事ができる。
【手続補正４】
【補正対象書類名】明細書
【補正対象項目名】００１２
【補正方法】変更
【補正の内容】
【００１２】
分離ローラ２と分離パッド２１によって分離された原稿は、第１搬送ローラとしての引き抜きローラ対３により引き抜かれ、第２搬送ローラとしてのレジストレーションローラ（以下レジストローラと略す）４に原稿を突き当てられる。分離ローラ２と引き抜きローラ３とは後述するように共通のモータで、その回転方向に応じて排他的に回転駆動される。レジストローラ４の上流にはループ空間６０があり、レジストローラ４に突き当てられた原稿の先端側に撓みが生じることにより、原稿の斜行が解消される。レジストローラ４は、分離ローラ２、引き抜きローラ３を駆動するモータとは別のモータで駆動される。原稿の先端はレジストローラの位置で一時的に搬送が停止され、その後所定のタイミングでレジストローラ４が駆動され、原稿は再搬送される。レジストローラ４の下流側には、レジストローラ４を通過する原稿を流し読みガラス２０１へ搬送する搬送路（給紙パス）が配置されている。
【手続補正５】
【補正対象書類名】明細書
【補正対象項目名】００１６
【補正方法】変更
【補正の内容】
【００１６】
図２は、ＡＤＦを含む画像読取装置の制御ブロック図である。画像読取部２００およびＡＤＦ１００は、中央演算処理装置である制御部（以下、ＣＰＵ）８０１、リードオンリーメモリ（以下、ＲＯＭ）８０２、ランダムアクセスメモリ（以下、ＲＡＭ）８０３を備えている。ＲＯＭ８０２には制御用プログラムが格納されており、ＲＡＭ８０３には入力データや作業用データが格納されている。読み取り部０２は、図１の表面ＬＥＤ２０３ａ、２０３ｂ、表面用ラインセンサ２０８、裏面ＬＥＤ１０３ａ、１０３ｂ、裏面用ラインセンサ１０８等を含み、原稿の読取を行う。第１モータとしての分離モータ８２３は、ピックアップローラ１の昇降および、ピックアップローラ１、分離ローラ２、引き抜きローラ対３を回転させる。第２モータとしてのレジストモータ８２４はレジストローラ対４を回転させる。リードモータ８２５は、表面読み取り搬送ローラ対５、表面読み取り上流ローラ５１、表面読み取り下流ローラ５２、裏面読み取り搬送ローラ対７及び裏面読み取り上流ローラ５３、裏面読み取り下流ローラ５４、排紙ローラ対１２を回転させる。分離後センサ１５は、分離ローラ２によって搬送された原稿端部を検知する。原稿有無検知センサ１４は、原稿トレイ３０上の原稿の有無を検知する。レジストセンサ１７は、レジストローラ対４により搬送された原稿を検知する。
【手続補正６】
【補正対象書類名】明細書
【補正対象項目名】００３８
【補正方法】変更
【補正の内容】
【００３８】
１  ピックアップローラ対
２  分離ローラ
３  引き抜きローラ対（第１搬送ローラ）
４  レジストローラ対（第２搬送ローラ）
１４  原稿有無検知センサ
１５  分離後センサ
１６  引き抜きセンサ
１７  レジストセンサ
６０  ループ空間
８２３  分離モータ（第１モータ）